(57)【要約】【課題】使用時にテーブルを使用し易い位置に容易に止めておくことができ、移動時には人がテーブル前部を持ち上げるだけでテーブルを容易に押し引きすることができるようにすることにある。【解決手段】甲板１と、その甲板１の左右にそれぞれ隣接して位置するとともに、前脚２と、その前脚２に一体的に結合された後脚３とを有する側部フレーム４と、左右の側部フレーム４に設けられ、甲板１の前部の両側部をそれぞれ回動可能に支持する甲板支持部５と、甲板１の回動限位置として略水平な使用位置と跳ね上げられた跳上げ位置とを特定するストッパ部と、左右の側部フレーム４を連結するハンドル６および目隠し板７と、左右の側部フレーム４の後脚３に設けられた車輪８と、左右の側部フレーム４の前脚２に設けられた滑り止め９と、甲板１を常時跳上げ付勢するガススプリング１０とを具えてなる跳上げ式テーブルである。【選択図】　　　　図１
2004041369.tif 000002
【特許請求の範囲】
【請求項１】
甲板と、
前記甲板の左右にそれぞれ隣接して位置するとともに、前脚と、その前脚に一体的に結合された後脚とを有する側部フレームと、
前記左右の側部フレームに設けられ、前記甲板の前部の両側部をそれぞれ回動可能に支持する甲板支持部と、
前記甲板の回動限位置として略水平な使用位置と跳ね上げられた跳上げ位置とを特定するストッパ部と、
前記左右の側部フレームを連結する少なくとも一つの連結部材と、
前記左右の側部フレームの前記後脚に設けられた車輪と、
前記左右の側部フレームの前記前脚に設けられた滑り止めと、
を具えてなる、跳上げ式テーブル。
【請求項２】
前記連結部材は、前記甲板支持部よりも上方且つ前方の位置にて前記左右の側部フレームを連結するハンドルであることを特徴とする、請求項１記載の跳上げ式テーブル。
【請求項３】
前記甲板支持部は内部に、
前記ストッパ部と、
凹部に離脱可能に掛合するようにボールを弾性的に付勢して前記甲板を少なくとも前記跳上げ位置に掛止するボールロック機構と、
を有することを特徴とする、請求項１記載の跳上げ式テーブル。
【請求項４】
前記連結部材は、前記甲板支持部よりも下方の位置にて前記左右の側部フレームを連結する目隠し板であることを特徴とする、請求項１から３までの何れか記載の跳上げ式テーブル。
【請求項５】
前記甲板と前記側部フレームとに両端部をそれぞれ結合されて前記甲板を跳上げ付勢する弾性手段をさらに具えることを特徴とする、請求項１から４までの何れか記載の跳上げ式テーブル。
【発明の詳細な説明】
【０００１】
【発明の属する技術分野】
この発明は、車輪を用いて移動させ得るとともに、不使用時に甲板を跳ね上げた状態で前後に複数台重ね合わせて整理し得る、跳上げ式テーブルに関するものである。
【０００２】
【従来の技術】
従来の上述の如き跳上げ式テーブルとしては、例えば図７（ａ），（ｂ）に示す如き個席タイプのものがあり、この跳上げ式テーブルは、甲板１と、その甲板１の左右にそれぞれ隣接して位置するとともに前脚２とそこに一体的に結合された後脚３とを有する側部フレーム４と、それらの側部フレーム４に設けられて甲板１の前部の両側部をそれぞれ回動可能に支持する甲板支持部５と、甲板１の回動限位置として図７（ａ）に示す略水平な使用位置と図７（ｂ）に示す跳上げ位置とを特定するためその側部フレーム４に甲板１と当接するように設けられた図示しないストッパ部と、上記左右の側部フレーム４を連結する連結部材としてのハンドル６および目隠し板７と、上記左右の側部フレーム４の前脚２に設けられた車輪８と、上記左右の側部フレーム４の後脚３に設けられた滑り止め９とを具えている。
【０００３】
【発明が解決しようとする課題】
ところで、かかる従来の跳上げ式テーブルについて本願発明者が使用状態を調べた結果、図７（ａ）に示すように、使用時に使用位置に下ろした甲板１をうっかり押すと、前脚２の車輪８が支点になって滑り止め９が浮き上がってテーブルがどんどん前へ動いてしまい、手前に戻そうとして甲板１を引くと、後脚３の滑り止め９が支点になって突っ張ってテーブルの移動を妨げるので、テーブルを使用し易い位置に止めておくのが難しいという不都合があることが判明した。
【０００４】
また上記従来の跳上げ式テーブルでは、移動時に甲板１を跳上げ位置に上げてもハンドル６と車輪８との間に全体の重心が位置しないことから、図７（ｂ）に示すように、先ず、ハンドル６を持つ人が目隠し板７等を押して車輪８を追いやって、図中矢印Ｂで示す如く、後脚３の滑り止め９を持ち上げるとともにその持つ人の側にテーブル全体を傾けてハンドル６と車輪８との間に全体の重心が来るようにしてから、図中矢印Ｃで示す如くハンドル６を押し引きする必要があり、手間がかかるとともにテーブルが転倒する可能性もあるという不都合もあることが判明した。
【０００５】
【課題を解決するための手段およびその作用・効果】
この発明は、上記課題を有利に解決したテーブルを提供することを目的とするものであり、この発明の跳上げ式テーブルは、甲板と、前記甲板の左右にそれぞれ隣接して位置するとともに、前脚と、その前脚に一体的に結合された後脚とを有する側部フレームと、前記左右の側部フレームに設けられ、前記甲板の前部の両側部をそれぞれ回動可能に支持する甲板支持部と、前記甲板の回動限位置として略水平な使用位置と跳ね上げられた跳上げ位置とを特定するストッパ部と、前記左右の側部フレームを連結する少なくとも一つの連結部材と、前記左右の側部フレームの前記後脚に設けられた車輪と、前記左右の側部フレームの前記前脚に設けられた滑り止めと、を具えてなるものである。
【０００６】
かかる跳上げ式テーブルにあっては、甲板の左右にそれぞれ隣接して位置するとともに前脚とそこに一体的に結合された後脚とを有する側部フレームに設けられた甲板支持部による支持下で、甲板をストッパ部により使用位置に位置させることで、当該テーブルが使用可能となり、またその甲板支持部による支持下で、甲板を跳上げ回動させてストッパ部により跳上げ位置に位置させることで、当該テーブルを前後に複数台重ね合わせて整理収納することが可能となる。
【０００７】
しかもこの跳上げ式テーブルにあっては、使用時に、使用位置に下ろした甲板をうっかり押しても、前脚に設けられた滑り止めが支点となって突っ張るのでテーブルがどんどん前へ動いてしまうことがなく、また手前に引く場合には後脚の車輪が支点となってテーブルの移動を容易ならしめる。そして移動時に、人が甲板を跳上げ位置に上げるとともにテーブル前部の甲板前端等を持ち上げると、その持ち上げた部分と後脚の車輪との間にテーブル全体の重心が位置する。
【０００８】
従って、この発明の跳上げ式テーブルによれば、使用時には、テーブルを使用し易い位置に容易に止めておくことができ、また移動時には、人がテーブル前部を持ち上げるだけで、移動させる前に車輪を追いやってテーブル全体をその人の側に傾斜させなくても、テーブルを容易に押し引きすることができる。
【０００９】
なお、この発明の跳上げ式テーブルにおいては、前記連結部材は、前記甲板支持部よりも上方且つ前方の位置にて前記左右の側部フレームを連結するハンドルであっても良く、このようにすれば、テーブルを移動させる時に、移動させる人がそのハンドルを持つことでテーブル前部を容易に持ち上げることができる。
【００１０】
また、この発明の跳上げ式テーブルにおいては、前記甲板支持部は内部に、前記ストッパ部と、凹部に離脱可能に掛合するようにボールを弾性的に付勢して前記甲板を少なくとも前記跳上げ位置に掛止するボールロック機構と、を有していても良く、このようにすれば、甲板の回動限位置を特定するストッパ部が甲板支持部の内部に設けられているので、回動限位置に甲板を回動させる際にストッパ部に指等が挟まれるのを防止することができ、また凹部に離脱可能に掛合するようにボールを弾性的に付勢するボールロック機構が甲板を少なくとも跳上げ位置に掛止し、甲板に力を加えるとボールが凹部から離脱して甲板を解放するので、テーブルの移動時に甲板を容易に跳上げ位置に保持することができる。
【００１１】
さらに、この発明の跳上げ式テーブルにおいては、前記連結部材は、前記甲板支持部よりも下方の位置にて前記左右の側部フレームを連結する目隠し板であっても良く、このようにすれば、目隠し板によって左右の側部フレームを互いに一体的に結合し得て、余分な重量増を招くことなくテーブルの剛性を高めることができる。
【００１２】
そして、この発明の跳上げ式テーブルは、前記甲板と前記側部フレームとに両端部をそれぞれ結合されて前記甲板を跳上げ付勢する、ガススプリング等の弾性手段をさらに具えていても良く、このようにすれば、甲板の重量の少なくとも一部をその弾性手段が支持するので、テーブルの移動時に甲板を容易に跳上げ位置に跳ね上げることができる。
【００１３】
【発明の実施の形態】
以下に、この発明の実施の形態を実施例によって、図面に基づき詳細に説明する。ここに、図１は、この発明の跳上げ式テーブルの一実施例を示す側面図、図２および図３は、その実施例の跳上げ式テーブルを示す正面図および平面図、図４は、図２のＡ−Ａ線に沿う断面図、図５（ａ），（ｂ）は、上記実施例の跳上げ式テーブルの使用時および移動時の状態を示す斜視図、図６は、上記実施例の跳上げ式テーブルの重ね合わせ整理時の状態を示す側面図であり、図中、図７に示すと同様の部分はそれと同一の符号にて示す。
【００１４】
この実施例の跳上げ式テーブルは、個席タイプのもので、図１〜図４に示すように、甲板１と、その甲板１の左右にそれぞれ隣接して位置するとともに上部同士が互いに一体的に結合された前脚２と後脚３とを有する略逆Ｖ字状の側部フレーム４と、それら左右の側部フレーム４の前脚２と後脚３との結合部の内側に設けられて甲板１の前部の両側部をそれぞれ図示しない支持軸を介し回動可能に支持する甲板支持部５と、それらの甲板支持部５の内部すなわちカバーで覆われた位置に設けられ、甲板１の回動限位置として図１，図４に実線で示す略水平な使用位置と図１，図４に仮想線で示す跳ね上げられた跳上げ位置とを特定する図示しないストッパ部と、これもそれらの甲板支持部５の内部すなわちカバーで覆われた位置に設けられ、甲板１を上記使用位置と跳上げ位置とに掛止する図示しないボールロック機構とを具えている。
【００１５】
ここで、左右の側部フレーム４の前脚２同士の間隔は、図６に示すように複数の跳上げ式テーブルを重ね合わせて整理する際に二本の前脚２が他の跳上げ式テーブルの二本の後脚３の間に入るように、左右の側部フレーム４の後脚３同士の間隔よりも狭められており、また上記ストッパ部は、側部フレーム４側に固定された弾性部材と、甲板１側に固定されて弾性部材に当接するピンとから構成された、それ自体は通常のものとされている。そして上記ボールロック機構は、側部フレーム４側に設けられた凹部に離脱可能に掛合するように、甲板１側に出入り可能に支持されたボールをスプリングで弾性的に付勢して、甲板１を上記使用位置と跳上げ位置とに掛止する、それ自体は通常のものとされている。
【００１６】
またこの実施例の跳上げ式テーブルは、左右の側部フレーム４を連結する連結部材として、甲板支持部５よりも上方且つ前方の位置にてそれら左右の側部フレーム４を連結する、直線状のパイプ材からなるハンドル６と、甲板支持部５よりも下方の位置にてそれら左右の側部フレーム４を連結するアルミニウム合金製の波板状の目隠し板７とを具えており、さらにこの実施例の跳上げ式テーブルは、左右の側部フレーム４の後脚３に回転可能に設けられた車輪８と、左右の側部フレーム４の前脚２に設けられた樹脂あるいはゴム製の滑り止め９と、甲板１の裏面に一端部を結合されるとともに他端部を目隠し板７を介して左右の側部フレーム４に結合されて甲板１を常時跳上げ付勢する、弾性手段としてのガススプリング１０とを具えている。
【００１７】
かかる実施例の跳上げ式テーブルにあっては、甲板１の左右にそれぞれ隣接して位置するとともに前脚２とそこに一体的に結合された後脚３とを有する側部フレーム４に設けられた甲板支持部５による支持下で、甲板１をストッパ部により図１，図４に実線で示す使用位置に位置させることで、当該テーブルが使用可能となり、またその甲板支持部５による支持下で、甲板１を跳上げ回動させてストッパ部により図１，図４に仮想線で示す跳上げ位置に位置させることで、図６に示すように当該テーブルを前後に複数台重ね合わせて整理収納することが可能となる。
【００１８】
しかもこの実施例の跳上げ式テーブルにあっては、図５（ａ）に示すように、使用時に、使用位置に下ろした甲板１をうっかり押しても、前脚２に設けられた滑り止め９が支点となって突っ張るのでテーブルがどんどん前へ動いてしまうことがなく、また手前に引く場合には後脚３の車輪８が支点となってテーブルの移動を容易ならしめる。そして図５（ｂ）に示すように、移動時に、人が甲板１を跳上げ位置に上げるとともにテーブル前部のハンドル６を持ち上げて、図中矢印Ｄで示すように、前脚２に設けられた滑り止め９を持ち上げると、持ち上げたハンドル６と後脚３の車輪８との間にテーブル全体の重心が位置し、図中矢印Ｅで示す如きテーブルの押し引きが可能になる。
【００１９】
従って、この実施例の跳上げ式テーブルによれば、使用時には、テーブルを使用し易い位置に容易に止めておくことができ、また移動時には、人がテーブル前部を持ち上げるだけで、移動させる前に車輪８を追いやってテーブル全体をその人の側に傾斜させなくても、テーブルを容易に押し引きすることができる。
【００２０】
さらに、この実施例の跳上げ式テーブルによれば、連結部材の一つは、甲板支持部５よりも上方且つ前方の位置にて左右の側部フレーム４を連結するハンドル６であるので、テーブルを移動させる時に、移動させる人が上記のようにそのハンドル６を持つことでテーブル前部を容易に持ち上げることができる。
【００２１】
さらに、この実施例の跳上げ式テーブルによれば、甲板支持部５は内部に上記ストッパ部とボールロック機構とを有していることから、甲板１の回動限位置を特定するストッパ部が甲板支持部５の内部に設けられているので、回動限位置に甲板１を回動させる際にストッパ部に指等が挟まれるのを防止することができ、またボールロック機構が甲板１を上記使用位置と跳上げ位置とに掛止し、甲板１に力を加えるとボールが凹部から離脱して甲板１を解放するので、テーブルの移動時に甲板１を容易に跳上げ位置に保持することができるとともに、テーブルの使用時に甲板１を使用位置に落ち着かせることができる。
【００２２】
さらに、この実施例の跳上げ式テーブルによれば、連結部材の他の一つは、甲板支持部５よりも下方の位置にて左右の側部フレーム４を連結する目隠し板７であるので、目隠し板７によって左右の側部フレーム４を互いに一体的に結合し得て、余分な重量増を招くことなくテーブルの剛性を高めることができる。
【００２３】
そして、この実施例の跳上げ式テーブルによれば、甲板１と側部フレーム４とに両端部をそれぞれ結合されて甲板１を常時跳上げ付勢するガススプリング１０をさらに具えていることから、甲板１の重量の大部分をガススプリング１０が支持するので、テーブルの移動時に甲板１を容易に跳上げ位置に跳ね上げることができる。
【００２４】
以上、図示例に基づき説明したが、この発明は上述の例に限定されるものでなく、例えば、ハンドル６を省略して代わりに甲板１の前端に取っ手を付けても良く、またガススプリング１０を省略して代わりに弾性部材としての捩じりバネを甲板支持部５の内部に設けても良い。そして目隠し板７を省略してハンドル６のみを連結部材としても良く、また前脚２と後脚３とを別体に作ってボルト等で結合しても良い。さらに、上記実施例では個席タイプとしたが、複数人が並んで使用できるタイプの跳上げ式テ−ブルとしても良い。
【図面の簡単な説明】
【図１】この発明の跳上げ式テーブルの一実施例を示す側面図である。
【図２】上記実施例の跳上げ式テーブルを示す正面図である。
【図３】上記実施例の跳上げ式テーブルを示す平面図である。
【図４】図２のＡ−Ａ線に沿う断面図である。
【図５】（ａ），（ｂ）は、上記実施例の跳上げ式テーブルの使用時および移動時の状態を示す斜視図である。
【図６】上記実施例の跳上げ式テーブルの重ね合わせ整理時の状態を示す側面図である。
【図７】（ａ），（ｂ）は、従来の跳上げ式テーブルの使用時および移動時の状態を示す斜視図である。
【符号の説明】
１　甲板
２　前脚
３　後脚
４　側部フレーム
５　甲板支持部
６　ハンドル
７　目隠し板
８　車輪
９　滑り止め
１０　ガススプリング
【図１】
2004041369.tif 000003
【図２】
2004041369.tif 000004
【図３】
2004041369.tif 000005
【図４】
2004041369.tif 000006
【図５】
2004041369.tif 000007
【図６】
2004041369.tif 000008
【図７】
2004041369.tif 000009